(57)【要約】【課題】作業者が座った姿勢で作業するとき、作業者の腰への負担を軽減することができるキッチンキャビネットを提供する。【解決手段】本発明は、作業者が座った姿勢で使用可能なキッチンキャビネット(1)に関する。本発明によるキッチンキャビネット(1)は、キャビネット(2)と、キャビネットの上に搭載されるシンク等のキッチン設備(4)を有する。キャビネット(2)は、座った姿勢でキッチン設備(4)を使用する作業者の膝頭部(H1)を収容する凹部(18)と、座った姿勢の作業者の足部(H3)が下腿部(H2)に対して作業者の後方に位置するように作業者の下腿部(H2)を支持する下腿支持部(20)を有する。好ましくは、下腿支持部(20)は、作業者の下腿部(H2)をそれが延びる方向に沿って支持するための支持面(22)を有する。【選択図】図４
2008055090.tif 000002
【特許請求の範囲】
【請求項１】
作業者が座った姿勢で使用できるキッチンキャビネットであって、
キャビネットと、前記キャビネットの上に搭載されるキッチン設備と、を有し、
前記キャビネットは、座った姿勢で前記キッチン設備を使用する作業者の膝頭部を受入れるための凹部と、座った姿勢の作業者の足部が下腿部に対して作業者の後方に位置するように作業者の下腿部を支持する下腿支持部と、を有することを特徴とするキッチンキャビネット。
【請求項２】
前記下腿支持部は、作業者の下腿部をそれが延びる方向に沿って支持するための少なくとも１つの支持面を有し、この支持面は、作業者に近づくにしたがって下方に傾斜することを特徴とする請求項１に記載のキッチンキャビネット。
【請求項３】
前記下腿支持部の支持面が平面状であることを特徴とする請求項２に記載のキッチンキャビネット。
【請求項４】
前記下腿支持部の支持面が作業者の左右方向に湾曲する凹面であることを特徴とする請求項２に記載のキッチンキャビネット。
【請求項５】
前記支持面は、上支持面と、それよりも下方に設けられた下支持面とを有することを特徴とする請求項２〜４のいずれか１項に記載のキッチンキャビネット。
【請求項６】
前記支持面の水平方向に対する傾斜角度は、前記キッチン設備に応じて異なることを特徴とする請求項２に記載のキッチンキャビネット。
【請求項７】
前記キッチン設備は、シンクとキッチンカウンターを有し、前記シンクに対応する前記支持面の傾斜角度は、前記キッチンカウンターに対応する前記支持面の傾斜角度よりも小さいことを特徴とする請求項６に記載のキッチンキャビネット。
【請求項８】
更に、作業者が座るための椅子を有することを特徴とする、請求項１〜７のいずれか１項に記載のキッチンキャビネット。
【発明の詳細な説明】
【技術分野】
【０００１】
本発明は、キッチンキャビネットに係わり、更に詳細には、作業者が座った姿勢で使用できるキッチンキャビネットに関する。
【背景技術】
【０００２】
キャビネットの上に、シンク、キッチンカウンター、コンロ等のキッチン設備を搭載したキッチンキャビネットが、一般家庭で使用されている。また、近年、キッチンキャビネットにおける食器洗い、食材の切断、加熱調理等のキッチン作業を、作業者が座った姿勢で使用することができるキッチンキャビネットが知られている（例えば、特許文献１参照）。
【０００３】
作業者が座った姿勢で使用できるキッチンキャビネットでは、作業者が長い間立っている必要がないので、作業者の足の疲れを軽減させることができる。
【０００４】
また、特許文献１に記載されているキッチンキャビネットは、椅子に座った作業者の足を載せるための足休めバーを有している。
【０００５】
【特許文献１】特開平９−５１８２２号公報（図１〜図３）
【発明の開示】
【発明が解決しようとする課題】
【０００６】
キッチンカウンターのキッチン設備、例えばシンク、キッチンカウンター、コンロは、作業者が座る位置に対して作業者の前方に配置されている。従って、作業者がキッチン作業を行うとき、作業者の上体が必然的に前傾するとともに、作業者の背中が丸くなりやすい。背中を丸めたままキッチン作業をし続けると、作業者の腰に負担がかかり、腰を痛める原因になることがある。このことは、足休めバーを有するキッチンキャビネットにおいても同様である。
【０００７】
また、食材を切断したり食器を洗ったりする際、作業者が座ったままだと、作業者の手に十分な力をかけることができず、比較的固い食材を切断したり食器を強く擦ったりすることがしにくいことがあった。
【０００８】
そこで、本発明の第１の目的は、作業者が座った姿勢で作業するとき、作業者の腰への負担を軽減することができるキッチンキャビネットを提供することにある。
【０００９】
また、本発明の第２の目的は、作業者が座った姿勢で作業するとき、作業者の手に容易に力をかけることができるキッチンキャビネットを提供することにある。
【課題を解決するための手段】
【００１０】
上記目的を達成するために、本発明によるキッチンキャビネットは、作業者が座った姿勢で使用可能なキッチンキャビネットであって、キャビネットと、キャビネットの上に搭載されるキッチン設備と、を有し、キャビネットは、座った姿勢でキッチン設備を使用する作業者の膝頭部を受入れるための凹部と、座った姿勢の作業者の足部が下腿部に対して作業者の後方に位置するように作業者の下腿部を支持する下腿支持部と、を有することを特徴としている。
【００１１】
このように構成された、キッチンキャビネットでは、作業者が前傾したとき、作業者下腿部が下腿支持部で支持され、座った姿勢の作業者の足部が下腿部に対して作業者の後方に位置し、作業者の大腿が必然的に前下がりになる。それにより、下腿支持部がない場合と比較して、作業者は背中が丸まらない姿勢をとりやすくなり、作業者の腰への負担を軽減することができる。また、作業者が前傾したときの体重を下腿支持部で支持することができるので、作業者の手に容易に体重又は力をかけることができる。
【００１２】
上記キッチンキャビネットの実施形態において、好ましくは、下腿支持部は、作業者の下腿部をそれが延びる方向に沿って支持するための少なくとも１つの支持面を有し、この支持面は、作業者に近づくにしたがって下方に傾斜する。
【００１３】
このように構成されたキッチンキャビネットでは、作業者の下腿部は、それが延びる方向に沿って支持面によって支持されるので、作業者が体重を前後に移動しても、作業者の下腿部が下腿支持部によって安定的に支持され、前傾しているときの作業者の上体移動を容易にすることができる。
【００１４】
支持面を有する上記キッチンキャビネットの実施形態において、下腿支持部の支持面は、平面状であってもよいし、作業者の左右方向に湾曲する凹面であってもよい。
【００１５】
また、支持面を有する上記キッチンキャビネットの実施形態において、好ましくは、支持面は、上支持面と、それよりも下方に設けられた下支持面とを有する。
【００１６】
このように構成されたキッチンキャビネットは、身長が低く大腿部が短い作業者の下腿を上支持面によって支持し、身長が高く大腿部が長い作業者の下腿を下支持面によって支持することにより、身長が異なる作業者に対応することができる。
【００１７】
また、支持面を有する上記キッチンキャビネットの実施形態において、好ましくは、支持面の水平方向に対する傾斜角度は、前記キッチン設備に応じて異なる。
【００１８】
このように構成されたキッチンキャビネットでは、キッチン設備を使用する作業者の前傾姿勢を、キッチン作業に適した前傾姿勢に予め近づけることができる。
【００１９】
この実施形態において、好ましくは、キッチン設備は、シンクとキッチンカウンターを有し、シンクに対応する支持面の傾斜角度は、キッチンカウンターに対応する支持面の傾斜角度よりも小さい。
【００２０】
このように構成されたキッチンキャビネットでは、シンクにおいて作業を行う作業者の姿勢を、キッチンカウンターにおいて作業を行う作業者の姿勢よりも前傾させやすくすることにより、作業者が作業しやすい姿勢をとることが容易になる。
【００２１】
また、本発明のキッチンキャビネットの実施形態において、好ましくは、更に、作業者が座るための椅子を有する。
【００２２】
このように構成されたキッチンキャビネットでは、別に椅子を用意する必要がない。
【発明の効果】
【００２３】
以上説明した通り、本発明によるキッチンキャビネットによれば、作業者が座った姿勢で作業するとき、作業者の腰への負担を軽減することができる。
【００２４】
また、本発明によるキッチンキャビネットによれば、作業者が座った姿勢で作業するとき、作業者の手に容易に力をかけることができる。
【発明を実施するための最良の形態】
【００２５】
以下、図面を参照して本発明の実施形態を詳細に説明する。
【００２６】
最初、図１〜図４を参照して、本発明によるキッチンキャビネットの第１の実施形態を説明する。図１は、本発明の第１の実施形態であるキッチンキャビネットの斜視図である。図２は、椅子を展開した図１のキッチンキャビネットの部分的に断面にした斜視図である。図３は、図１のキッチンキャビネットの側面断面図であり、図４は、椅子を展開した図１のキッチンキャビネットの側面断面図である。
【００２７】
図１及び図２に示すように、キッチンキャビネット１は、キャビネット２と、その上に装着されたシンク４とを有している。
【００２８】
キャビネット２は、概略的には、作業者から見て左右方向Ａ及び前後方向Ｂに延びる直方体形状をなし、前面２ａと、側面２ｂと、上面２ｃとを有している。
【００２９】
シンク４は、キャビネット２の上面２ｃに埋め込まれるように取付けられ、４つの側壁４ａ〜４ｄと、底壁４ｅと、水を供給するための給水部４ｆとを有している。手前側の側壁４ａは、キャビネット２の前面２ａよりも奥側に配置されている。
【００３０】
キャビネット２は、キャビネット本体６と、キャビネット本体６に対して前後に移動可能な前面パネル組立体８とを有している。
【００３１】
キャビネット本体６は、両側に配置された側板１２と、両側の側板１２を連結する連結部１４とを有している。本実施形態では、連結部１４は、シンク４の下に位置し、シンク４の底壁４ｅから下方に延びる第１の面１４ａと、第１の面１４ａの下端１６ａから延び且つ作業者に近づくにしたがって下方に傾斜する第２の面１４ｂと、第２の面１４ｂの下端１６ｂから下方に延びる第３の面１４ｃとを有している。第３の面１４ｃは、キャビネット２の前面２ａよりも奥側に配置されている。シンク４の底壁４ｅと、第１の面１４ａと、第２の面１４ｂとにより、座った姿勢でシンク４を使用する作業者の膝頭部Ｈ１（図４参照）を収容する凹部１８が形成される。
【００３２】
また、キャビネット本体６は、座った姿勢の作業者の足部Ｈ３（図４参照）が下腿部Ｈ２（図４参照）に対して作業者の後方に位置するように作業者の下腿部を支持する下腿支持部２０を有し、この下腿支持部２０は、作業者の下腿部Ｈ２をそれが延びる方向に沿って支持するための支持面２２を有している。本実施形態では、連結部１４が下腿支持部２０として機能し、第２の面１４ｂが支持面２２として機能する。支持面２２は、平面状であり、水平方向Ｃに対して傾斜角度αで配置されている。傾斜角度αは、好ましくは、１０〜３５度である。なお、下腿部Ｈ２は、作業者の膝から足首までの部分をいい、足部Ｈ３は、足首から足先までの部分をいう。
【００３３】
前面パネル組立体８は、キャビネット２の前面２ａを構成するオモテ面２４ａ及びその反対側のウラ面２４ｂを有する前面パネル２４と、前面パネル２４のウラ面２４ｂに回動可能に取付けられた椅子２６とを有している。
【００３４】
前面パネル２４は、ウラ面２４ｂから凹部１８に向かって突出する突出部２８を有し、突出部２８は、基部２８ａから凹部１８に向かって下方に傾斜する上面２８ｂを有している。前面パネル２４のオモテ面２４ａには、取っ手３０が取付けられることが好ましい。
【００３５】
椅子２６は、前面パネル２４の突出部２８の基部２８ａに回動可能に取付けられ、基部２８から凹部に向かって延びる座部２６ａと、基部２８から上方に延びる背部２６ｂとを有している。座部２６ａと背部２６ｂとは互いに９０度をなして一体に形成されている。突出部２８の上面２８ｂには、座部２６ａが下方に回動したときに当接して変形するクッション２８ｃが設けられることが好ましい。
【００３６】
図３及び図４に示すように、前面パネル組立体８は、収納位置８ａ（図３参照）と展開位置８ｂ（図４参照）との間を移動可能である。詳細には、キャビネット本体６の側板１２に、前後方向Ｂに延びるガイドレール１２ａが取付けられ、ガイドレール１２ａに沿って摺動するスライド部２４ｃが前面パネル２４の下端部２４ｄから延びている。前面パネル２４は、車輪３２を有することが好ましい。この車輪３２は、作業者が椅子２６に腰掛けるときに転がらないように固定することが可能である。
【００３７】
椅子２６の背部２６ｂ、前面パネル２４、シンク４の手前側の側壁４ａ及び第３の面１４ｃは、前面パネル組立体８が収納位置にあるとき、前面パネル２４のオモテ面２４ａとキャビネット２の前面２ａとが同一面内にあり、背部２６ｂが前面パネル２４と側壁４ａとの間の隙間に収容され、且つ、座部２６ａが凹部内に配置されるように構成されている。
【００３８】
次に、第１の実施形態のキッチンキャビネットの使用方法を説明する。
【００３９】
収納位置８ａにある前面パネル組立体８をキャビネット本体６から展開位置８ｂまで引き出す。椅子２６の座部２６ａは、前面パネル２４の突出部２８の上面に当接するまで前下がりに回動する。作業者は、椅子２６に腰掛けるとともに、膝頭部Ｈ１を凹部１８に入れ、下腿部Ｈ２の膝に近い部分を支持面２２の上に載せる。それにより、作業者は、背を伸ばした状態で前傾姿勢をとることができる。その結果、作業者は、椅子２６に座った状態で、シンクの底まで覗き込むことができ、シンクの底まで手を容易に入れることができる。
【００４０】
このキッチンキャビネット１では、作業者は背中が丸まらない姿勢をとりやすくなり、作業者の腰への負担を軽減することができる。また、作業者が前傾したときの体重を下腿支持部２０で支持することができるので、上半身を自由に動かすことができる。特に、作業者の下腿部Ｈ２が、支持面２２によって前後方向に支持されるので、作業者が体重を前後に移動しても、作業者の下腿部Ｈ２が下腿支持部２０によって安定的に支持され、前傾しているときの作業者の上体の前後移動を容易にすることができる。更に、手に体重をかけることが容易になり、食器を強く擦って洗うことができる。
【００４１】
次に、図５を参照して、本発明によるキッチンキャビネットの第２の実施形態を説明する。図５は、本発明の第２の実施形態であるキッチンキャビネットの側面断面図である。
【００４２】
図５に示すように、キッチンキャビネット４０は、連結部４２の形状がキッチンキャビネット１の連結部１４と異なること以外、第１の実施形態のキッチンキャビネット１と同様の構成を有している。したがって、同様の構成要素には同じ参照符号を付してその説明を省略し、異なる部分についてだけ説明する。
【００４３】
キッチンキャビネット４０のキャビネット本体６は、両側に配置された側板１２と、両側の側板１２を連結する連結部４２とを有している。連結部４２は、シンク４の下に位置し、シンク４の底壁４ｅから下方に延びる第１の面４２ａと、第１の面４２ａの下端４４ａから延び且つ作業者に近づくにしたがって下方に傾斜する第２の面４２ｂと、第２の面４２ｂの下端４４ｂから延び且つ作業者から遠ざかるにしたがって下方に傾斜する第３の面４２ｃと、第３の面４２ｃの下端４４ｃから延び且つ作業者に近づくにしたがって下方に傾斜する第４の面４２ｄと、第４の面４２ｄの下端４４ｄから下方に延びる第５の面４２ｅとを有している。第５の面４２ｅは、キャビネット２の前面２ａよりも奥側に配置されている。シンク４の底壁４ｅ及び第１の面４２ａ〜第４の面４２ｄにより、座った姿勢でシンク４を使用する作業者の膝頭部Ｈ１（図４参照）を収容する凹部４６が形成されている。
【００４４】
第２の本実施形態では、連結部４２が下腿支持部２０として機能し、第２の面４２ｂ及び第４の面４２ｄがそれぞれ、上側の支持面２２ａ及びそれよりも下方に設けられた下側の支持面２２ｂとして機能する。上側の支持面２２ａ及び下側の支持面２２ｂは、両方とも平面状であり、水平方向Ｃに対してそれぞれ傾斜角度α１、α２で配置されている。傾斜角度α１、α２は、同じであっても良いし、異なっていても良い。
【００４５】
作業者がキッチンキャビネット４０を使用する際、身長が低く大腿部Ｈ４（図４参照）が短い作業者は、下腿部Ｈ２（図４参照）を上側の支持面２２ａによって支持し、身長が高く大腿部Ｈ４が長い作業者は、下腿部Ｈ２を下側の支持面２２ｂによって支持する。
【００４６】
次に、図６を参照して、本発明によるキッチンキャビネットの第３の実施形態を説明する。図６は、本発明の第３の実施形態であるキッチンキャビネットを部分的に断面にした斜視図である。
【００４７】
図６に示すように、キッチンキャビネット５０は、第２の面１４ｂに凹面が形成されていること以外、第１の実施形態のキッチンキャビネット１と同様の構成を有している。したがって、同様の構成要素には同じ参照符号を付してその説明を省略し、異なる部分について説明する。
【００４８】
連結部１４は、第１の実施形態のキッチンキャビネット１と同様、シンク４の底壁４ｅから下方に延びる第１の面１４ａと、第１の面１４ａの下端１６ａから延び且つ作業者に近づくにしたがって下方に傾斜する第２の面１４ｂと、第２の面１４ｂの下端１６ｂから下方に延びる第３の面１４ｃとを有している。シンク４の底壁４ｅと、第１の面１４ａと、第２の面１４ｂとにより、座った姿勢でシンク４を使用する作業者の膝頭部Ｈ１（図４参照）を収容する凹部１８が形成されている。また、第２の面には、横方向に湾曲する凹面５２が２つ形成され、各凹面５２は、作業者に近づくにしたがって下方に傾斜するように延びている。
【００４９】
本実施形態では、連結部１４が下腿支持部２０として機能し、凹面５２が支持面２２として機能する。支持面２２は、凹形であり、水平方向Ｃに対して傾斜角度αで配置されている。
【００５０】
作業者がキッチンキャビネット５０を使用する際、作業者の左右の下腿部Ｈ２（図４参照）をそれぞれの凹面５２によって支持する。
【００５１】
作業者の下腿部Ｈ２の横移動が、凹面５２によって阻止されるので、作業者が体重を前後に移動しても、作業者の下腿部Ｈ２が凹面５２によって安定的に支持され、前傾しているときの作業者の上体の横移動を容易にすることができる。
【００５２】
次に、図７を参照して、本発明によるキッチンキャビネットの第４の実施形態を説明する。図７は、本発明の第４の実施形態であるキッチンキャビネットの斜視図である。
【００５３】
図７に示すように、キッチンキャビネット６０は、キャビネット６２と、その上に搭載された、シンク６４ａ、キッチンカウンター６４ｂ、及びコンロ６４ｃを有している。
【００５４】
キャビネット６２は、概略的には、作業者から見て左右方向Ａ及び前後方向Ｂに延びる直方体形状をなし、前面６２ａと、側面６２ｂと、上面６２ｃとを有している。
【００５５】
シンク６４ａ及びコンロ６４ｃは、キャビネット６２の上面６２ｃに埋め込まれるように取付けられ、キッチンカウンター６４ｂは、上面６２ｃの上に取付けられている。
【００５６】
キャビネット６２は、両側に配置された収納部６６と、両側の収納部６６を連結するベース部６８及び横方向支持部７０とを有している。ベース部６８は下方に配置され、横方向支持部７０は上方に配置され且つシンク６４ａ、キッチンカウンター６４ｂ及びコンロ６４ｃを支持している。キャビネット６２は、更に、椅子Ｃに座った作業者の足部Ｈ３（図４参照）が下腿部Ｈ２（図４参照）に対して作業者の後方に位置するように作業者の下腿部Ｈ２を支持する下腿支持部７２ａ、７２ｂ、７２ｃを、シンク６４ａ、キッチンカウンター６４ｂ及びコンロ６４ｃの左右方向Ａの位置にあわせて有している。下腿支持部７２ａ、７２ｂ、７２ｃは、ベース部６８に支持されている。下腿支持部７２ａ、７２ｂ、７２ｃ及び横方向支持部７０の間に、座った姿勢でシンク６４ａ、キッチンカウンター６４ｂ及びコンロ６４ｃを使用する作業者の膝頭部Ｈ１（図４参照）を収容する凹部７４が形成される。
【００５７】
下腿支持部７２ａ、７２ｂ、７２ｃはそれぞれ、作業者の下腿部Ｈ２をそれが延びる方向に沿って支持するための支持面７６ａ、７６ｂ、７６ｃを有し、支持面７６ａ、７６ｂ、７６ｃは、平面状であり、作業者に近づくにしたがって下方に傾斜している。支持面７６ａ、７６ｂ、７６ｃはそれぞれ、水平方向Ｃに対して傾斜角度α３、α４、α５で配置されている。傾斜角度α３、α４、α５は、好ましくは、１０〜３５度であり、α３＜α４＜α５の関係がある。
【００５８】
作業者がキッチン設備で作業をする場合、キッチン設備の構造上、作業者は、シンク６４ａでの作業で最も前傾し、キッチンカウンター６４ｂでの作業、コンロ６４ｃでの作業の順に、前傾が小さくなる。支持面７６ａ、７６ｂ、７６ｃの水平方向Ｃに対する傾斜角度をキッチン設備に応じて変えておけば、キッチン設備を使用する作業者の前傾姿勢を、キッチン作業に適した前傾姿勢に予め近づけることができる。
【００５９】
次に、下腿支持部を設けた第１の実施形態によるキッチンキャビネット１と、下腿支持部を設けない従来のキッチンキャビネットの比較を行った実験例を図８〜図１２及び表１〜表２を参照して説明する。
【００６０】
図８は、作業者の背骨につけたモーションキャプチャ用のマーカの位置を示す図である。マーカは、５箇所取付けられており、下方からマーカを結んでできた線の傾き角度の変化β１、β２、β３（時計回りを＋の値とする。）を図８に示すように定めた。また、表１は、そのときの角度β１、β２、β３を示す。
【００６１】
【表１】
2008055090.tif 000003
【００６２】
表１から分かるように、下腿支持部２０がない場合、マーカが一方向に湾曲し、背中が大きく丸まっているのに対し、下腿支持部２０がある場合、マーカがほぼ直線状をなし、僅かにＳ字形に湾曲していた。
【００６３】
表２は、身長が異なる男女８人が、下腿支持部２０がないキッチンキャビネットから下腿支持部２０があるキッチンキャビネットに変えたときのアンケート結果である。
【００６４】
【表２】
2008055090.tif 000004
【００６５】
表２から分かるように、腰への負担、洗いやすさ、上体の安定感について、下腿支持部２０があるキッチンキャビネットが、下腿支持部２０がないキッチンキャビネットよりも悪くなったと感じた人は少なく、良くなったと感じた人が圧倒的に多かった。
【００６６】
図９は、下腿支持部２０と椅子２６とを分離し、それぞれの下にロードセル８０、８２を配置したキッチンキャビネットを示す図である。ロードセル８０により、椅子２６にかかる荷重Ｆ１を測定し、ロードセル８２により、下腿支持部に係る荷重Ｆ２を測定した。作業者の体重−Ｆ１−Ｆ２で計算される荷重が、手にかけられる荷重になる。図１０は、下腿支持部がある場合の測定結果を示し、図１１は、下腿支持部がない場合の測定結果を示す。体重６６Ｋｇ（６４７Ｎ）の作業者について測定したところ、荷重安定後、下腿支持部がない場合には、Ｆ１が約４８５Ｎ、Ｆ２が約８５Ｎであり、下腿支持部がある場合には、Ｆ１が約３６９Ｎ、Ｆ２が約１３１Ｎであった。従って、手にかけられる荷重は、下腿支持部がある場合約１４７Ｎであり、下腿支持部がない場合、約７７Ｎであり、下腿支持部がある場合のほうが下腿支持部がない場合よりも、手にかけられる荷重が大きくなっていた。
【００６７】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００６８】
本発明によるキッチンキャビネットの下腿支持部は、座った姿勢の作業者の足部Ｈ３が下腿部Ｈ２に対して作業者の後方に位置するように作業者の下腿部Ｈ２を支持することができれば、その構造は任意であり、キャビネットの凹部の一部分によって構成されていてもよいし、凹部とは別に設けられてもよい。また、下腿支持部の構造は、上記実施形態のように支持面を有していても良いし、線状の形態を有する支持部であっても良いし、それらの上にクッションが取付けられた構造であってもよい。
【００６９】
また、上述した第４の実施形態の実施形態において、キッチン設備６４ａ、６４ｂ、６４ｃに応じて支持面７６ａ、７６ｂ、７６ｃの傾斜角度を変えたけれども、作業者の腰の負担を軽減できれば、キッチン設備ごとに傾斜角度を変えなくても良い。また、第１〜第４の実施形態を任意に組合せても良い。
【図面の簡単な説明】
【００７０】
【図１】本発明の第１の実施形態であるキッチンキャビネットの斜視図である。
【図２】椅子を展開した図１のキッチンキャビネットを部分的に断面にした斜視図である。
【図３】図１のキッチンキャビネットの側面断面図である。
【図４】椅子を展開した図１のキッチンキャビネットの側面断面図である。
【図５】本発明の第２の実施形態であるキッチンキャビネットの側面断面図である。
【図６】本発明の第３の実施形態であるキッチンキャビネットを部分的に断面にした斜視図である。
【図７】本発明の第４の実施形態であるキッチンキャビネットの斜視図である。
【図８】作業者の背骨につけたモーションキャプチャ用のマーカの位置を示す図である。
【図９】下腿支持部と椅子との下にロードセルを配置したキッチンキャビネットを示す図である。
【図１０】下腿支持部がある場合の荷重測定結果を示す図である。
【図１１】下腿支持部がない場合の荷重測定結果を示す図である。
【符号の説明】
【００７１】
１、４０，５０  キッチンキャビネット
２  キャビネット
４  シンク
１８、４６  凹部
２０  下腿支持部
２２  支持面
２２ａ  上支持面
２２ｂ  下支持面
２６  椅子
６４ａ  シンク
６４ｂ  キッチンカウンター
６４ｃ  コンロ
７２ａ、７２ｂ、７２ｃ  下腿支持部
７６ａ、７６ｂ、７６ｃ  支持面
α、α１、α２  傾斜角度
α３、α４、α５  傾斜角度
Ｈ１  膝頭部
Ｈ２  下腿部
Ｈ３  足部
【図１】
2008055090.tif 000005
【図２】
2008055090.tif 000006
【図３】
2008055090.tif 000007
【図４】
2008055090.tif 000008
【図５】
2008055090.tif 000009
【図６】
2008055090.tif 000010
【図７】
2008055090.tif 000011
【図８】
2008055090.tif 000012
【図９】
2008055090.tif 000013
【図１０】
2008055090.tif 000014
【図１１】
2008055090.tif 000015